(57)【特許請求の範囲】
【請求項１】
毎日又は毎週のタイマ録画予約を行うための予約入力手段と、
放送内容がステレオ放送の場合をＣＭと判断して録画動作を停止させるＣＭカット録画手段とを備えた録画装置において、
前記予約入力手段にて設定されたタイマ予約録画時に、ステレオ放送が一定時間以上継続したか否かを検出して、予約内容の本編が全てステレオ放送であるか否かを判断する手段と、
予約内容の本編が全てステレオ放送であると判断された場合、強制的に前記ＣＭカット録画手段の動作実行を停止させる手段とを備えたことを特徴とする録画装置。
【請求項２】
前記請求項１に記載の録画装置において、
予約内容の本編が全てステレオ放送であると判断された場合、次の毎週又は毎日のタイマ予約録画時には、自動的に前記ＣＭカット録画手段の動作実行を停止させる手段を備えたことを特徴とする録画装置。
【発明の詳細な説明】
【０００１】
【発明の属する技術分野】
本発明は、例えばビデオテープレコーダ（ＶＴＲ）等の録画装置に関し、より詳細には、毎日又は毎週のタイマ録画予約を行うための予約入力手段と、放送内容がステレオ放送の場合をＣＭと判断して録画動作を停止させるＣＭカット録画手段とを備えた録画装置に関するものである。
【０００２】
【従来の技術】
従来から、毎日又は毎週のタイマ録画予約機能とともに、番組放送中にステレオモードのＣＭが挿入された場合に、録画動作を停止してＣＭのみをカットする、所謂ＣＭカット録画機能とを有する録画装置が知られている。
【０００３】
従来のこの種の録画装置を、例えばＶＴＲについて、図４及び図５とともに以下説明する。ここで、図４は従来のＶＴＲにおける記録系のの概略構成を示すブロック図、図５は従来のＶＴＲにおける動作を示すタイミングチャートである。
【０００４】
従来のＶＴＲは、図４に示すように、１組のビデオヘッド７と、入力映像信号を処理する回路とを有し、標準／３倍モードのテープ速度で、ビデオヘッド７により磁気テープ８の長手方向に映像記録を行うように構成されている。
【０００５】
記録モード時においては、アンテナからの放送信号或いは外部からのビデオ信号Ｈがチューナ部１によって復調処理され、それぞれビデオ信号Ｈ１として出力される。尚、チューナ部１は、システムコントロール部２から出力される選局制御信号Ｈ２によって希望放送チャンネルに同調される。これは、使用者が操作部３を操作することによって出力されるキー入力信号Ｈ３により制御される。
【０００６】
ビデオ信号Ｈ１は変調／増幅部５で記録信号Ｈ４とされ、ビデオヘッド７により磁気テープ８上に記録される。このときの記録タイミングは、システムコントロール部２からの制御信号Ｈ５によって制御される。また、システムコントロール部２から出力されるメカ制御信号Ｈ６によってＶＴＲメカ機構部４が制御され、録画の処理が行われる。
【０００７】
また、操作部３からのキー入力信号Ｈ３により、システムコントロール部２はタイマ部６に予約録画データＨ１０を出力する。タイマ部６は、予約録画実行データＨ１１をシステムコントロール部２に出力するが、このとき、タイマ部６からの予約録画実行データＨ１１にはＣＭカットモードのＯＮ／ＯＦＦを切り換えるデータも含まれている。
【０００８】
タイマ部６からの予約録画実行データＨ１１を入力したシステムコントロール部２は、ＣＭカットモードのＯＮ／ＯＦＦデータと、変調／増幅部５からの放送形態データＨ１２とに基づいて、ステレオ放送か否かを判定するとともに、ＣＭ（ステレオ放送）を録画するかしないかを決定する。すなわち、ＣＭカット録画予約時に放送形態データＨ１２の内容がステレオ放送であれば、録画予約は実行されない。
【０００９】
上記のように構成してなるＶＴＲにおける動作例を、図５のタイミングチャートに示す。図５においては、毎日又は毎週予約の内容が繰り返し実行されるが、その予約内容は本編も含めて全てステレオモードである場合を示している。すなわち、全てステレオ放送であり、且つＣＭカットモードがＯＮとなっているので、この場合録画は一切実行されない。
【００１０】
【発明が解決しようとする課題】
上述したとおり、従来の録画装置においては、ＣＭカット予約録画の内容の本編がモノラル又は二重音声でＣＭ部分がステレオである場合に、ステレオ放送の部分のみを録画しない方法により、ＣＭカット録画を実現している。従って、図５に示したように、本編がステレオ放送の場合には、全く本編を録画できないこととなるという問題があった。
【００１１】
すなわち、使用者が予約内容の放送形態を確認してＣＭカットモードのＯＮ／ＯＦＦを設定しなければならず、この確認をしないでＣＭカット録画予約を行った場合には、本編が録画されないことがあるという問題があり、特に、毎日又は毎週のタイマ録画予約にとっては大きな不具合となっていた。
【００１２】
本発明は、このような点に鑑みてなされたものであり、タイマ予約録画時に誤って本編の録画を失敗するのを防止することができる録画装置を提供することを目的とする。
【００１３】
【課題を解決するための手段】
本願請求項１に記載の発明に係る録画装置は、毎日又は毎週のタイマ録画予約を行うための予約入力手段と、放送内容がステレオ放送の場合をＣＭと判断して録画動作を停止させるＣＭカット録画手段とを備えた録画装置において、前記予約入力手段にて設定されたタイマ予約録画時に、ステレオ放送が一定時間以上継続したか否かを検出して、予約内容の本編が全てステレオ放送であるか否かを判断する手段と、予約内容の本編が全てステレオ放送であると判断された場合、強制的に前記ＣＭカット録画手段の動作実行を停止させる手段とを備えてなるものである。
【００１４】
これによって、本編がステレオ放送の内容をタイマ録画予約するとき、使用者が誤ってＣＭカットモードの設定をＯＮにした場合であっても、通常のＣＭ連続時間よりも多少長めのステレオ放送が一定時間以上継続したとき、予約内容の本編がステレオ放送であると判断して、自動的にＣＭカットモードを解除し、録画モードとする。従って、本編の録画を失敗することが防止できる。
【００１５】
本願請求項２に記載の発明に係る録画装置は、前記請求項１に記載の録画装置において、予約内容の本編が全てステレオ放送であると判断された場合、次の毎週又は毎日のタイマ予約録画時には、自動的に前記ＣＭカット録画手段の動作実行を停止させる手段を備えてなるものである。
【００１６】
これによって、予約内容の本編が全てステレオ放送であると判断された場合、次の毎週又は毎日のタイマ予約録画時には、ＣＭカットモードは自動的に解除されているので、即時タイマ予約録画を実行させることが可能となる。
【００１７】
【発明の実施の形態】
以下、本発明の録画装置の一実施形態を、例えばＶＴＲについて、図１乃至図３とともに説明するが、上記従来例と同一部分には同一符号を付し、その説明は省略する。ここで、図１は本実施形態のＶＴＲにおける記録系の概略構成を示すブロック図、図２は本実施形態のＶＴＲにおける動作を示すフローチャート、図３は本実施形態のＶＴＲにおける動作を示すタイミングチャートである。
【００１８】
本実施形態のＶＴＲは、図１に示すように、ＣＭカット予約録画時に、放送形態データＨ１２の内容がステレオで一定時間以上連続したことを検出し、予約録画実行データＨ１１に含まれるＣＭカットモードをＯＦＦにして録画実行を行うシステムコントロール部１２を設けている。また、システムコントロール部１２は、予約内容のステレオ状態が一定時間以上連続したのを検出すると、次回からの毎週又は毎日のタイマ予約録画時には、自動的にＣＭカットモードをＯＦＦとする。
【００１９】
上記のように構成してなるＶＴＲのタイマー予約録画時の動作について、図２のフローチャートとともに説明する。まず、予約録画実行データＨ１１に含まれるＣＭカットモードのＯＮ／ＯＦＦを判断し（ステップ１）、ＣＭカットモードでなければ処理を終了し、ＣＭカットモードである場合は、タイマー録画予約の内容が毎日予約か毎週予約かを判断し（ステップ２）、毎日予約か毎週予約でなければ処理を終了する。
【００２０】
次に、タイマ録画予約の内容がステレオ放送かどうか判断し（ステップ３）、ステレオ放送でない場合は処理を終了する。そして、ステレオ放送の場合はステレオ状態が予め決められた一定時間以上継続したかどうかを検出し（ステップ４）、継続しない場合は処理を終了する。一定時間以上継続した場合には、ＣＭカットモードをＯＮからＯＦＦに強制的に切り換えた後、録画モードを起動して（ステップ５）、処理を終了する。
【００２１】
また、本実施形態のＶＴＲにおける動作例を、図３のタイミングチャートに示す。図３においては、毎日又は毎週予約の内容が繰り返し実行されるが、その予約内容は本編も含めて全てステレオモードである場合を示している。最初に立ち上がったタイマー予約録画の内容について、ステレオ状態が一定時間以上連続したのが検出されると、ＣＭカットモードを強制的にＯＦＦにすると同時に録画状態とする。その後に立ち上がった毎日又は毎週の予約は、自動的にＣＭカットモードをＯＦＦするので、すぐに録画が実行される。
【００２２】
尚、上記一実施形態のＶＴＲにおけるステレオ状態を検出する一定時間は、一般的に通常ＣＭ放送が連続して放送される時間より長い５分程度に設定される。従って、ＣＭカットモードがＯＮで、５分以上ステレオ放送が連続した場合に、ＣＭカットモードをＯＦＦに切り換える。
【００２３】
【発明の効果】
本願請求項１に記載の発明に係る録画装置によれば、本編がステレオ放送の内容をタイマ録画予約するとき、使用者が誤ってＣＭカットモードの設定をＯＮにした場合であっても、ステレオ放送が一定時間以上継続したとき、予約内容の本編がステレオ放送であると判断して、自動的にＣＭカット録画手段の動作実行を停止させた状態で録画する。従って、本編の録画を失敗することが防止できる。
【００２４】
本願請求項２に記載の発明に係る録画装置によれば、予約内容の本編が全てステレオ放送であると判断された場合、次の毎週又は毎日のタイマ予約録画時には、自動的にＣＭカット録画手段の動作実行を停止させるので、即時タイマ予約録画を実行させることが可能となる。
【図面の簡単な説明】
【図１】本発明の録画装置の一実施形態における概略構成を示すブロック図である。
【図２】本発明の録画装置の一実施形態における動作を示すフローチャートである。
【図３】本発明の録画装置の一実施形態における動作を示すタイミングチャートである。
【図４】従来の録画装置における概略構成を示すブロック図である。
【図５】従来の録画装置における動作を示すタイミングチャートである。
【符号の説明】
１  チューナー部
３  操作部
４  ＶＴＲメカ機構部
５  変調／増幅部
６  タイマー部
７  ビデオヘッド
８  磁気テープ
１２  システムコントロール部
【図１】
0003670778.tif 000002
【図２】
0003670778.tif 000003
【図３】
0003670778.tif 000004
【図４】
0003670778.tif 000005
【図５】
0003670778.tif 000006